【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
複数の発光点を有するレーザ光源と、該複数の発光点から射出した複数の光束を偏向手段に導く入射光学系と、該偏向手段にて反射偏向された複数の光束を副走査方向に所定の間隔で被走査面上に光スポットとして結像させる走査レンズ系と、該偏向手段により反射偏向された複数の光束に対して走査開始タイミングを検知する同期検知手段とを備えたマルチビーム光走査装置において、
前記同期検知手段は、副走査方向に長い開口部を有するスリット部材と、該スリット部材の開口部を通過した光束を受光する同期検出素子とを有し、
前記複数の光束のうち、光量の大きい光束が前記スリット部材の開口部を横切る主走査方向の開口部の長さをＤＭ、光量の小さい光束がスリット部材の開口部を横切る主走査方向の開口部の長さをＤＬとするとき、
ＤＬ＞ＤＭ
であることを特徴とするマルチビーム光走査装置。
【請求項２】
前記スリット部材の開口部を通過する複数の光束の光量のうち、最も大きい光量をＢａ、最も小さい光量をＢｂとし、光量比をＥ（Ｅ＝Ｂｂ／Ｂａ）、開口部の副走査方向の開口角をθとするとき、
θ＝２×atan（１−Ｅ）
であることを特徴とする請求項１記載のマルチビーム光走査装置。
【請求項３】
複数の発光点を有するレーザ光源と、該複数の発光点から射出した複数の光束を偏向手段に導く入射光学系と、該偏向手段にて反射偏向された複数の光束を副走査方向に所定の間隔で被走査面上に光スポットとして結像させる走査レンズ系と、該偏向手段により反射偏向された複数の光束に対して走査開始タイミングを検知する同期検知手段とを備えたマルチビーム光走査装置において、
前記同期検知手段は、副走査方向に長い開口部を有するスリット部材と、該開口部を通過した光束を受光する同期検出素子とを有し、該開口部を通過する複数の光束の光量のうち、最も大きい光量をＢａ、最も小さい光量をＢｂとし、光量比ＥをＥ＝Ｂｂ／Ｂａ、該スリット開口部の副走査方向の開口角をθとするとき、
０．８×｛２×atan（１−Ｅ）｝＜θ＜１．２×｛２×atan（１−Ｅ）｝
であることを特徴とするマルチビーム光走査装置。
【請求項４】
前記複数の光束のうち、光量の大きい光束が前記スリット部材の開口部を横切る主走査方向の開口部の長さをＤＭ、光量の小さい光束がスリット部材の開口部を横切る主走査方向の開口部の長さをＤＬとするとき、
ＤＬ＞ＤＭ
であることを特徴とする請求項３記載のマルチビーム光走査装置。
【請求項５】
請求項１乃至４の何れか１項に記載のマルチビーム光走査装置と、前記被走査面に配置された感光ドラムと、前記マルチビーム光走査装置で走査された光束によって前記感光ドラム上に形成された静電潜像をトナー像として現像する現像器と、現像されたトナー像を被転写材に転写する転写器と、転写されたトナー像を被転写材に定着させる定着器とを有することを特徴とする画像形成装置。
【請求項６】
請求項１乃至４の何れか１項に記載のマルチビーム光走査装置と、外部機器から入力したコードデータを画像信号に変換して前記マルチビーム光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
【課題を解決するための手段】
請求項１の発明のマルチビーム光走査装置は、複数の発光点を有するレーザ光源と、該複数の発光点から射出した複数の光束を偏向手段に導く入射光学系と、該偏向手段にて反射偏向された複数の光束を副走査方向に所定の間隔で被走査面上に光スポットとして結像させる走査レンズ系と、該偏向手段により反射偏向された複数の光束に対して走査開始タイミングを検知する同期検知手段とを備えたマルチビーム光走査装置において、
前記同期検知手段は、副走査方向に長い開口部を有するスリット部材と、該スリット部材の開口部を通過した光束を受光する同期検出素子とを有し、
前記複数の光束のうち、光量の大きい光束が前記スリット部材の開口部を横切る主走査方向の開口部の長さをＤＭ、光量の小さい光束がスリット部材の開口部を横切る主走査方向の開口部の長さをＤＬとするとき、
ＤＬ＞ＤＭ
であることを特徴としている。
【手続補正３】
【補正対象書類名】明細書
【補正対象項目名】００１４
【補正方法】変更
【補正の内容】
【００１４】
請求項２の発明は、請求項１の発明において、前記スリット部材の開口部を通過する複数の光束の光量のうち、最も大きい光量をＢａ、最も小さい光量をＢｂとし、光量比をＥ（Ｅ＝Ｂｂ／Ｂａ）、開口部の副走査方向の開口角をθとするとき、
θ＝２×atan（１−Ｅ）
であることを特徴としている。
【手続補正４】
【補正対象書類名】明細書
【補正対象項目名】００１５
【補正方法】変更
【補正の内容】
【００１５】
請求項３の発明のマルチビーム光走査装置は、複数の発光点を有するレーザ光源と、該複数の発光点から射出した複数の光束を偏向手段に導く入射光学系と、該偏向手段にて反射偏向された複数の光束を副走査方向に所定の間隔で被走査面上に光スポットとして結像させる走査レンズ系と、該偏向手段により反射偏向された複数の光束に対して走査開始タイミングを検知する同期検知手段とを備えたマルチビーム光走査装置において、
前記同期検知手段は、副走査方向に長い開口部を有するスリット部材と、該開口部を通過した光束を受光する同期検出素子とを有し、該開口部を通過する複数の光束の光量のうち、最も大きい光量をＢａ、最も小さい光量をＢｂとし、光量比ＥをＥ＝Ｂｂ／Ｂａ、該スリット開口部の副走査方向の開口角をθとするとき、
０．８×｛２×atan（１−Ｅ）｝＜θ＜１．２×｛２×atan（１−Ｅ）｝
であることを特徴としている。
【手続補正５】
【補正対象書類名】明細書
【補正対象項目名】００１６
【補正方法】変更
【補正の内容】
【００１６】
請求項４の発明は、請求項３の発明において、前記複数の光束のうち、光量の大きい光束が前記スリット部材の開口部を横切る主走査方向の開口部の長さをＤＭ、光量の小さい光束がスリット部材の開口部を横切る主走査方向の開口部の長さをＤＬとするとき、
ＤＬ＞ＤＭ
であることを特徴としている。
【手続補正６】
【補正対象書類名】明細書
【補正対象項目名】００１７
【補正方法】変更
【補正の内容】
【００１７】
請求項５の発明の画像形成装置は、請求項１乃至４の何れか１項に記載のマルチビーム光走査装置と、前記被走査面に配置された感光ドラムと、前記マルチビーム光走査装置で走査された光束によって前記感光ドラム上に形成された静電潜像をトナー像として現像する現像器と、現像されたトナー像を被転写材に転写する転写器と、転写されたトナー像を被転写材に定着させる定着器とを有することを特徴としている。
【手続補正７】
【補正対象書類名】明細書
【補正対象項目名】００１８
【補正方法】変更
【補正の内容】
【００１８】
請求項６の発明の画像形成装置は、請求項１乃至４の何れか１項に記載のマルチビーム光走査装置と、外部機器から入力したコードデータを画像信号に変換して前記マルチビーム光走査装置に入力せしめるプリンタコントローラとを有していることを特徴としている。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】